(57)【要約】【課題】情報漏洩に対しログに基づき追跡を容易にさせる。【解決手段】画像ログモードが画像ログを残すという設定（オン）になっており、かつ、画像ログ対象が出力画像データであれば（Ｓ３）、出力先がボックス以外のときには出力画像データ２２を画像ログ１４１としてジョブログ記憶領域１４に保存し（Ｓ５）、画像ログ対象が入力画像データであれば（Ｓ３）、入力画像データ２１を画像ログ１４１としてジョブログ記憶領域１４に保存する（Ｓ６）。【選択図】図３
2014216686.tif 000002
【特許請求の範囲】
【請求項１】
入力部と、画像処理部と、画像出力部と、記憶部と、該入力部から入力された制御情報に基づき該入力部から入力された画像データを該画像処理部に処理させて該画像出力部から出力させるとともにジョブログを該記憶部に保存させる制御部と、を備えた画像形成装置において、
該ジョブログは、該画像出力部から出力する画像データを画像ログとして含むことを特徴とする画像形成装置。
【請求項２】
該制御情報は、ジョブログ対象選択情報を含み、
該制御部はさらに、入力された該ログ対象選択情報を該記憶部に保存させ、保存された該ジョブログ対象選択情報に基づき、該入力部から入力された画像データ又は該画像出力部から出力する画像データを該画像ログとして該記憶部に保存させる、
ことを特徴とする請求項１に記載の画像形成装置。
【請求項３】
該制御部はさらに、該入力部から入力された画像データを該画像ログとする場合、保存された該ジョブログ対象選択情報に基づき、該制御情報に含まれる画像編集情報もジョブログ対象とさせ又はさせない、
ことを特徴とする請求項２に記載の画像形成装置。
【請求項４】
該制御部はさらに、該画像ログの対象の該画像データの解像度が設定値を超える場合、該画像データの解像度を該設定値に変換させたものを該画像ログとして該記憶部に保存させる、
ことを特徴とする請求項１乃至４のいずれか１つに記載の画像形成装置。
【請求項５】
該制御部はさらに、該制御情報が、該画像出力部として自装置の補助記憶装置を示している場合、該画像ログを該記憶部に保存させないことを特徴とする請求項１乃至４のいずれか１つに記載の画像形成装置。
【発明の詳細な説明】
【技術分野】
【０００１】
本発明は、ジョブログを記憶部に保存する機能を備えた画像形成装置に関する。
【背景技術】
【０００２】
下記特許文献には、原稿からデジタル画像データを読み取り、印刷する画像データを監査するシステムにおいて、どの利用者がどのような原稿を何時、どれだけ読み取ったかを、記録として保持し、それを後で追跡できるようにすることが開示されている。
【先行技術文献】
【特許文献】
【０００３】
【特許文献１】特開平７−２１２６０２号公報
【特許文献２】特開２００６−２１７３５０号公報
【発明の概要】
【発明が解決しようとする課題】
【０００４】
しかし、記録として保存するのは入力画像データであり、どのように編集して出力したかの情報がログに残っていない。後で追跡を容易にするために、どのような形で漏洩したかがわかるログを残す必要がある。
【０００５】
本発明の目的は、このような問題点に鑑み、情報漏洩に対しログに基づき追跡を容易にすることが可能な画像形成装置を提供することにある。
【課題を解決するための手段】
【０００６】
本発明の第１態様では、入力部と、画像処理部と、画像出力部と、記憶部と、該入力部から入力された制御情報に基づき該入力部から入力された画像データを該画像処理部に処理させて該画像出力部から出力させるとともにジョブログを該記憶部に保存させる制御部と、を備えた画像形成装置において、
該ジョブログは、該画像出力部から出力する画像データを画像ログとして含む。
【０００７】
本発明による画像形成装置の第２態様では、第１態様において、該制御情報は、ジョブログ対象選択情報を含み、
該制御部はさらに、入力された該ログ対象選択情報を該記憶部に保存させ、保存された該ジョブログ対象選択情報に基づき、該入力部から入力された画像データ又は該画像出力部から出力する画像データを該画像ログとして該記憶部に保存させる。
【０００８】
本発明による画像形成装置の第３態様では、第２態様において、該制御部はさらに、該入力部から入力された画像データを該画像ログとする場合、保存された該ジョブログ対象選択情報に基づき、該制御情報に含まれる画像編集情報もジョブログ対象とさせ又はさせない。
【０００９】
本発明による画像形成装置の第４態様では、第１乃至４態様のいずれか１つにおいて、該制御部はさらに、該画像ログの対象の該画像データの解像度が設定値を超える場合、該画像データの解像度を該設定値に変換させたものを該画像ログとして該記憶部に保存させる。
【００１０】
本発明による画像形成装置の第５態様では、第１乃至４態様のいずれか１つにおいて、該制御部はさらに、該制御情報が、該画像出力部として自装置の補助記憶装置を示している場合、該画像ログを該記憶部に保存させない。
【発明の効果】
【００１１】
上記第１態様の構成によれば、画像出力部から出力する画像データを画像ログとして含むので、情報漏洩が生じた場合に、その追跡を、より容易に行うことができるという効果を奏する。
【００１２】
上記第２態様の構成によれば、管理者の判断で、入力部から入力された画像データ又は画像出力部から出力する画像データを該画像ログとして記憶部に保存させることができ、目的に応じたログを保存できるという効果を奏する。前者の場合、出力しなくても、どの秘密情報が読み取られたか否かを判断することができる。
【００１３】
上記第３態様の構成によれば、該入力部から入力された画像データを該画像ログとする場合、画像編集情報もジョブログ対象とさせることができるので、画像編集し画像を出力させなかった場合でも、情報漏洩が生じた場合に、その追跡を、より容易に行うことが可能となるという効果を奏する。
【００１４】
上記第４態様の構成によれば、該画像ログの対象の該画像データの解像度が設定値を超える場合、該画像データの解像度を該設定値に変換させたものを該画像ログとして該記憶部に保存させるので、ログの記憶効率を向上させることができるという効果を奏する。
【００１５】
上記第５態様の構成によれば、該制御情報が、該画像出力部として自装置の補助記憶装置を示している場合、該画像ログを該記憶部に保存させないので、記憶部の無駄な使用を防止できるという効果を奏する。
【００１６】
本発明の他の目的、特徴的な構成及び効果は、以下の説明を特許請求の範囲及び図面の記載と関係づけて読むことにより明らかになる。 
【図面の簡単な説明】
【００１７】
【図１】本発明の実施例１に係る画像形成装置の概略ブロック図である。
【図２】図１の画像形成装置のジョブログに関する説明図である。
【図３】図１の画像形成装置のジョブログに関する処理を示す概略フローチャートである。
【実施例１】
【００１８】
図１は、本発明の実施例１に係る画像形成装置の概略ブロック図である。
【００１９】
制御部１０は、データ記憶部１１とバスで結合されている。制御部１０は、プロセッサとプログラム記憶部とで構成され、そのプログラムがプロセッサに対し以下に説明する処理を行わせる。データ記憶部１１は、画像データ記憶領域１２、制御情報記憶領域１３及びジョブログ記憶領域１４を含んでいる。このバスにはまた、入力部１５、画像処理部１６、画像出力部１７及び表示部１８が結合されている。
【００２０】
図２は、図１のジョブログに関する説明図である。
【００２１】
図１の入力部１５の一部である画像入力部１５１から得られる入力画像データ２１は、図１の制御情報記憶領域１３内の編集情報１３１に基づき処理されて、出力画像データ２２が生成され、これが画像出力部１７から出力される。
【００２２】
画像入力部１５１は、スキャナを含み、画像出力部１７は、プリンタを含んでいる。ＰＣ（パーソナルコンピュータ）、ＵＳＢインターフェイス、ファクシミリモデム及び補助記憶装置内のディレクトリであるボックスの機能は、画像入力部１５１及び画像出力部１７の両方に属している。
【００２３】
図１に戻って、制御部１０は、概説すれば、入力部１５から入力された制御情報及び画像データをそれぞれ画像データ記憶領域１２及び制御情報記憶領域１３に保存させ、制御情報記憶領域１３内の編集情報に基づき、画像データ記憶領域１２内の入力画像データ２１を編集情報１３１で処理させて出力画像データ２２を生成し、画像出力部１７から出力させると共に、図２の画像ログ１４１、画像編集情報１４２をジョブログ記憶領域１４に格納させる。
【００２４】
編集情報１３１は、図２に示すように、色変換、画質調整、解像度変換、回転、拡大縮小、集約等のレイアウトなどの情報を含んでいる。
【００２５】
ジョブログ記憶領域１４には、図１に示すように、画像ログ、編集情報ログ、ログ対象の入力画像又は出力画像の画像確定日時、ログインユーザＩＤ、及び、プリント、コピー、スキャン・ツー・ボックスなどのジョブ種が格納される。
【００２６】
制御部１０は、図２の入力画像データ２１及び出力画像データ２２のうち、図１の制御情報記憶領域１３内のジョブログ対象選択情報に基づいて、これらの一方を画像ログ１４１としてジョブログ記憶領域１４に格納する。
【００２７】
このジョブログ対象選択情報は、入力部１５を構成する操作パネルを介し、ＰＣから入力部１５の通信インターフェイス又はローカルのＵＳＢインターフェイスなどを介して設定される。ジョブログ対象選択情報はまた、画像ログ１４１が入力画像データ２１である場合、画像編集情報１４２をジョブログ記憶領域１４に格納させるか否かの情報を含んでいる。
【００２８】
制御部１０は、入力画像データ２１又は出力画像データ２２を画像ログ１４１としてジョブログ記憶領域１４に格納させる場合、入力画像データ２１又は出力画像データ２２の解像度が制御情報記憶領域１３内の設定解像度、例えば３００ｄｐｉを超えると、画像出力部１７でこの設定解像度に変換させたものを、画像ログ１４１として生成することにより、記憶効率を向上させている。この設定解像度は、入力部１５を構成する操作パネルを介し、ＰＣから入力部１５の通信インターフェイス又はＵＳＢインターフェイスなどを介して、設定される。
【００２９】
制御部１０はまた、制御情報記憶領域１３内の編集情報が、画像出力部１７として記憶部に含まれるボックスを示している場合、ジョブログ対象選択情報が画像ログを保存するように示していても、画像ログ１４１をジョブログ記憶領域１４に保存させないことにより、無駄を省いている。
【００３０】
図３は、図１の画像形成装置のジョブログに関する処理を示す概略フローチャートである。以下、括弧内は図中のステップ識別符号である。
【００３１】
（Ｓ０）図１の上記ジョブログ対象選択情報及び設定解像度を予め設定して、制御情報記憶領域１３に格納させておく。
【００３２】
（Ｓ１）ジョブの編集情報、例えばカラーであるか否か、解像度、仕上げ情報などを、例えば入力部１５の操作パネルで設定し又はＰＣ側のドライバの設定画面で設定し入力部１５の通信インターフェイスなどを介して入力し、制御情報記憶領域１３に一時格納させる。
【００３３】
（Ｓ２）スキャナ又はファクシミリに原稿を載置して入力部１５から画像データを入力し、又はプリント対象のファイルをＰＣから入力部１５の通信インターフェイスを介し画像データを入力して、画像データ記憶領域１２に一時格納させる。
【００３４】
（Ｓ３）画像ログモードが画像ログを残すという設定（オン）になっており、かつ、画像ログ対象が、出力画像データであればステップＳ４へ進み入力画像データであればステップＳ６へ進む。
【００３５】
（Ｓ４）入力画像データを編集情報１３１に基づき画像処理部１６で処理させて出力画像データ２２を生成する。
【００３６】
（Ｓ５）出力先がボックス以外のときには出力画像データ２２を直接又はその解像度を落とし、画像ログ１４１としてジョブログ記憶領域１４に保存し、ステップＳ８へ進む。
【００３７】
（Ｓ６）入力画像データ２１を直接又はその解像度を落とし、画像ログ１４１としてジョブログ記憶領域１４に保存する。
【００３８】
（Ｓ７）入力画像データを編集情報１３１に基づき画像処理部１６で処理させて出力画像データ２２を生成する。
【００３９】
（Ｓ８）ジョブログ対象選択情報が、画像編集情報１４２をログに含める設定になっている場合には、ステップＳ９へ進み、そうでなければ図３の処理を終了する。
【００４０】
（Ｓ９）画像編集情報１４２をジョブログ記憶領域１４に保存する。
【００４１】
ジョブログ記憶領域１４の内容は、入力部１５を操作して表示部１８に表示させることができる。
【００４２】
以上において、本発明の好適な実施例を説明したが、本発明には他にも種々の変形例が含まれ、当業者であれば上記構成又は機能から想到するであろう他の構成も、本発明に含まれる。
【符号の説明】
【００４３】
１０  制御部
１１  データ記憶部
１２  画像データ記憶領域
１３  制御情報記憶領域
１４  ジョブログ記憶領域
１４１  画像ログ
１４２  画像編集情報
１５  入力部
１５１  画像入力部
１６  画像処理部
１７  画像出力部
１８  表示部
２１  入力画像データ
２２  出力画像データ
【図１】
2014216686.tif 000003
【図２】
2014216686.tif 000004
【図３】
2014216686.tif 000005